(57)【特許請求の範囲】
【請求項１】
単結晶シリコン基板上に形成されたひずみセンサと、該ひずみセンサの出力を無線で外部に送信する通信手段とを有する計量デバイスが、液体を収容する容器の底部と側壁の境の角部に形成されたテーパ面に貼り付けて設けられ、前記ひずみセンサは、前記単結晶シリコン基板の一の結晶方向に延在された不純物拡散層からなる２つのひずみセンサ要素と、前記一の結晶方向に直交する他の結晶方向に延在された不純物拡散層からなる２つのひずみセンサ要素とによりホイートストンブリッジを形成してなり、前記一の結晶方向に延在された前記２つのひずみセンサ要素の延在方向を、前記容器内の液体の量に応じて前記テーパ面に作用する力のうち前記テーパ面に平行な成分の方向に合わせて前記テーパ面に貼り付けてなる計量機能を具備する物品容器。
【請求項２】
前記不純物拡散層は、Ｐ型不純物を含んでなり、前記一の結晶方向が［１１０］で、前記他の結晶方向が［-１１０］であることを特徴とする請求項１に記載の計量機能を具備する物品容器。
【請求項３】
前記不純物拡散層は、Ｎ型不純物を含んでなり、前記一の結晶方向が［０１０］で、前記他の結晶方向が［１００］であることを特徴とする請求項１に記載の計量機能を具備する物品容器。
【請求項４】
前記通信手段は、電磁波を送受信するアンテナと、該アンテナにより受信した電磁波エネルギを動作電源に変換する電源部と、前記ひずみセンサの検出値に識別符号を付して前記アンテナから外部に送信する通信制御回路とを有することを特徴とする請求項１に記載の計量機能を具備する物品容器。
【請求項５】
請求項４に記載の物品容器の前記通信制御回路と通信して前記検出値を受信して記録する管理装置とを備え、
前記管理装置は、前記計量デバイスに計量要求を送信する電磁波を送信する送信手段と、前記計量デバイスから送信される前記ひずみセンサの検出値と前記識別符号を受信する受信手段と、受信した前記ひずみセンサの検出値と前記識別符号を記録する記録手段とを備えてなることを特徴とする物品管理システム。
【請求項６】
前記記録手段は、前記ひずみセンサの検出値を受信した日時を記録することを特徴とする請求項５に記載の物品管理システム。
【発明の詳細な説明】
【技術分野】
【０００１】
本発明は、計量機能を具備する物品容器及びその物品容器を用いた物品管理システムに関する。本発明を適用可能な物品容器には、例えば、薬品ビン等の容器、ワイン等の酒類を詰めたビンなどの容器、石油等の液体を貯蔵するタンクなどの容器、種々の商品を梱包した段ボール箱などの容器、その他の物品を収容する容器などを含めることができる。
【背景技術】
【０００２】
例えば、様々な分野で使用されている医薬、試薬、その他の薬品は、ビン等の容器に収容されて薬品棚や薬品庫に貯蔵されたり、自動分析装置やプラントにおいては薬品供給装置を構成する容器に貯蔵されている。このような薬品は、ビン内の薬品の残量を点検したり、必要な場合は補充する等の管理が行われている。また、医薬などの場合は、薬品棚から薬品ビンを取り出して使用した場合、薬品の使用量及び残量、又は出し入れ者の記録を付ける管理が行われている。
【０００３】
このような薬品管理を自動処理できれば、便利であるだけでなく、薬品の在庫不足、薬品切れ等の不測の事態を免れることができることから、様々な分野で要請されている。すなわち、薬品管理に限らず、タンク等による貯蔵液体の管理、倉庫の物流管理、その他の物品の管理の分野が考えられる。
【０００４】
例えば、特許文献１には、消費者がトレイなどの容器に量り売り商品を載せると、トレイ又はカートに組込まれた食品計測装置により、自動的に商品の重量を計測して表示画面に表示するとともに、その金額を表示することが提案されている。これによれば、消費者は、自己が購入しようとする量り売り商品の重量と金額を直ちに知ることができるから便利である。また、食品計測装置が組込まれたトレイをレジの情報伝達端子のある位置において、トレイから金額情報を無線等でレジに送ることにより、レジ作業を迅速に行うことができる。
【０００５】
【特許文献１】特開２０００−２２１０７４号公報
【発明の開示】
【発明が解決しようとする課題】
【０００６】
ところで、特許文献１には、重量計測に用いる重量センサの構成についての具体的な記載はないが、同文献の図示例には、トレイと比べてかなり大きな形状の重量センサが記載されている。しかし、大きな形状の重量センサは、適用できる容器の大きさに制限されるから、用途が制約されるという問題がある。
【０００７】
また、同文献には、重量センサに代えて、ひずみにて重量を計測するひずみ計、あるいは電気抵抗の差で重量を計測する電気抵抗計を用いることが提案されているが、具体的な構成については記載されていない。しかし、多結晶の金属薄膜により形成した抵抗線式の一般的なひずみ計は、多結晶の結晶粒界から腐食や疲労が起きることから、長期の使用に耐えることができないという問題がある。特に、温度変化により結露した場合は、腐食の進行が早い。また、大きな熱応力が繰り返し作用するような用途には、疲労が起こりやすいことから、信頼性にかけるという問題がある。
【０００８】
本発明の課題は、容器に収容された液体の計量機能を具備する物品容器及びその物品容器を用いた物品管理システムを実現することにある。
【課題を解決するための手段】
【０００９】
上記の課題を解決するため、本発明の計量機能を具備する物品容器は、単結晶シリコン基板上に形成されたひずみセンサと、該ひずみセンサの出力を無線で外部に送信する通信手段とを有する計量デバイスが、液体を収容する容器の底部と側壁の境の角部に形成されたテーパ面に貼り付けて設けられ、前記ひずみセンサは、前記単結晶シリコン基板の一の結晶方向に延在された不純物拡散層からなる2つのひずみセンサ要素と、前記一の結晶方向に直交する他の結晶方向に延在された不純物拡散層からなる２つのひずみセンサ要素とによりホイートストンブリッジを形成してなり、前記一の結晶方向に延在された前記２つのひずみセンサ要素の延在方向を、前記容器内の液体の量に応じて前記テーパ面に作用する力のうち前記テーパ面に平行な成分の方向に合わせて前記テーパ面に貼り付けてなることを特徴とする。
【００１０】
すなわち、容器内に収容された液体の量に応じて容器がひずむことから、そのひずみを容器に貼り付けたひずみセンサで検出し、その検出値に基づいて容器内の液体の量（例えば、重量、液量）を計測することができる。
【００１１】
特に、本発明の計量デバイスは、半導体製造ラインで作ったひずみセンサを半導体の不純物拡散層で形成するとともに、その検出出力を無線で外部に送信するようにしているから、計量デバイスを薄型で、かつ超小型に形成できる。これにより、どのような小さな容器であっても適用することができる。なお、計量デバイス内にひずみセンサの検出出力を重量又は液量に換算する演算手段を設けて、重量又は液量の検出値を無線で外部に送信するようにすることができる。
【００１２】
また、ひずみセンサの検出出力を無線で外部に送信する場合は、別に設けた受信装置を備えた管理装置により受信し、ひずみセンサの検出値を重量又は液量に換算するようにすることができる。
【００１３】
また、本発明によれば、ひずみセンサを単結晶シリコンを用いて形成しているから、多結晶の金属薄膜により形成した抵抗線式のひずみセンサに比べて、粒界腐食や疲労に強い。その結果、ひずみ検出の信頼性を確保できる。すなわち、シリコン半導体は、降伏強度が一般的な金属箔を用いたひずみ計に比べて著しく大きいから、本発明のひずみセンサは、同じひずみを受けても塑性変形成分が小さいので、高サイクルに対する疲労寿命が著しく高い。そのため、長期間のひずみ量計測を安定して行うことができるという利点がある。
【００１４】
また、多結晶シリコンを用いたひずみセンサの場合は、内部に多数の結晶粒界を有するため、その結晶粒界において優先的に環境腐食が発生し、測定値の精度低下や断線が発生する。この点、本発明のように、単結晶シリコンを用いたひずみセンサは、結晶粒界を全く含まないので、結晶粒界における環境腐食の影響を排除でき、長期信頼性に優れるという利点がある。このために、薬品や液体の貯蔵に用いた場合にも、長期間の使用に耐えるという利点がある。
【００１５】
また、本発明に用いるひずみセンサは、単結晶シリコン基板の一の結晶方向に延在された不純物拡散層からなる2つのひずみセンサ要素と、一の結晶方向に直交する他の結晶方向に延在された不純物拡散層からなる２つのひずみセンサ要素とによりホイートストンブリッジを形成してなることから、不純物拡散層は、ひずみ検出感度に影響する抵抗特性に異方性を有する。そこで、一の結晶方向に延在された２つのひずみセンサ要素の延在方向を、容器内の液体の量に応じてテーパ面に作用する力のうちテーパ面に平行な成分の方向に合わせてテーパ面に貼り付ける。つまり、不純物拡散層の延在方向である長手方向をひずみの検出感度が高い方向に設定して、主たるひずみセンサ要素を形成する。これにより、本発明のひずみセンサは、風船が膨らむように変形する物品の等方二軸のひずみは検知できないが、却って、本発明のように容器に収容された物品の重量などを計量する場合のように、等方でなく一方向のひずみのみを検出する場合に好都合である。特に、液体の入った圧力容器のような例では、液体の重量と圧力とを分離することが容易となる。
【００１６】
したがって、本発明のひずみセンサは、容器の底部に隣接する容器の角部に貼り付けることが特徴である。
【００１７】
また、本発明の計量デバイスの通信手段は、電磁波を送受信するアンテナと、該アンテナにより受信した電磁波エネルギを動作電源に変換する電源部と、前記ひずみセンサの検出値に識別符号を付して前記アンテナから外部に送信する通信制御回路とを有して構成することができる。これにより、計量デバイスに、電池などの内蔵電源を設けなくて済むから、小形化及び薄型化できるだけでなく、電池交換などの保守、点検が不要になり、使い勝手に優れ、かつ寿命の長い計量機能を具備する物品容器を実現できる。
【００１８】
一方、本発明の計量機能を具備する物品容器を用いることにより、物品管理システムを容易に構成することができる。すなわち、本発明の物品管理システムは、本発明の計量機能を具備する物品容器の計量デバイスと通信して、ひずみセンサの検出値を受信して記録する管理装置とを備えて構成する。この場合、管理装置は、計量デバイスに計量要求を送信する電磁波を送信する送信手段と、計量デバイスから送信されるひずみセンサの検出値と識別符号を受信する受信手段と、受信したひずみセンサの検出値と識別符号を記録する記録手段とを備えて構成することができる。さらに、記録手段は、ひずみセンサの検出値を受信した日時を記録することができる。
【００１９】
これにより、本発明の物品管理システムによれば、物品容器に収容された物品の重量や液量を演算により求めることができ、例えば、薬品ビン内の薬品の残量を点検したり、必要な場合は補充する等の管理を容易に行うことができる。また、医薬などの場合は、薬品の使用量及び残量などの管理を自動で行うことができる。さらに、物品容器の識別符号には、物品容器に収容されている物品名称や種類などの情報を含めることができる。
【発明の効果】
【００２０】
本発明によれば、耐腐食性、耐疲労性及び長期の信頼性を有し、かつ用途の制約を受けない計量機能を具備する物品容器及びその物品容器を用いた物品管理システムを実現できる。
【発明を実施するための最良の形態】
【００２１】
以下、本発明を実施形態に基づいて説明する。
【００２２】
（実施形態1）
図1〜図６を用いて、本発明の計量機能を具備する物品容器を用いた物品管理システムの一実施形態を説明する。図１は、計量デバイス１と物品が収容された容器２を断面で示した模式図であり、また、管理装置３を簡易なブロック図で示している。図２と図３は、ひずみセンサ部の構成図である。図４は、計量デバイス１の通信部の詳細構成図である。図５は、管理装置３の詳細構成図である。図６は、管理装置３における管理手順のフローチャートである。
【００２３】
図１の模式図に示すように、本実施形態の物品管理システムは、計量デバイス１が貼付された計量機能を具備する物品の容器２と、管理装置３とを有して構成される。容器２には、例えば液体が収容され、容器２の底部と側壁の境の角部４は、テーパー状に形成されている。なお、図示では、角部４を強調して大きく記載しているが、実際は、通常形成される丸み又は面取り程度の傾斜を有する角部４であればよい。このような容器２の角部４に、計量デバイス１が貼付されている。計量デバイス１は、半導体チップに形成されたひずみセンサ部５と、このひずみセンサ部５に重ねて設けられた通信部６とを含んで形成されている。
【００２４】
ひずみセンサ部５は、図２又は図３に示すように、単結晶のシリコン半導体基板からなる半導体チップ７上に形成されている。ひずみセンサ部５は、不純物拡散層によりホイートストンブリッジを構成して形成されており、ひずみに対して抵抗値が変化するが、温度変化に対しては特性が変化しないという特徴を持つ。図２はＰ型不純物拡散層を用いた例であり、図３はＮ型不純物拡散層を用いた例である。図２に示すように、Ｐ型不純物拡散層のひずみセンサ要素５ａ、５ｂは、半導体チップ７の単結晶シリコンの結晶方向〔−１１０〕を長手方向として、ひずみセンサ要素５ｃ、５ｄは、半導体チップ７の単結晶シリコンの結晶方向〔１１０〕を長手方向として形成されている。そして、その長手方向に電流を流すようにして、抵抗値を高くし、消費電流を抑えるようにしている。つまり、温度依存特性を有するひずみセンサ部５の温度補償を、５ａ、５ｂ、５ｃ、５ｄのひずみセンサ要素でホイートストンブリッジを組むことによって精度よく行うようにしている。そして、ひずみセンサ要素５ａ、５ｂとひずみセンサ要素５ｃ、５ｄを、ほぼ直交するように配する。このとき、ひずみセンサ要素５ａ、５ｂとひずみセンサ要素５ｃ、５ｄのなす角が９０°でなくても、これに近ければ効果は少なくなるが、同様の効果を有する。このように配することで、容器２内の液体等の温度が変化しても、ホイートストンブリッジにより補償することができ、温度に依存しない正確なひずみを検出できる。このひずみセンサ部５では、〔１１０〕及び〔−１１０〕方向の等価な２軸ひずみに対して、ほぼ等価な出力が得られる。しかしながら、等方でないひずみ成分に対しては、その偏差成分が抵抗値の変化として表れるという特徴がある。すなわち、容器に圧力が負荷されたような場合の等方２軸ひずみに近い状態では、感度が小さく、重量のような一方向に働く偏差成分に対しては、大きな抵抗変化を得ることができる。一方、Ｎ型不純物拡散層を用いた場合は、図３に示すように、ひずみセンサ要素５ａ、５ｂとひずみセンサ要素５ｃ、５ｄは、それぞれ単結晶シリコンの結晶方向〔０１０〕、〔１００〕を長手方向として形成される。このＮ型不純物拡散層を用いた場合でも、Ｐ型の場合と同様な効果を有する。
【００２５】
そして、ひずみセンサ要素５ａと５ｃの接続点と、ひずみセンサ要素５ｂと５ｄの接続点との間に直流電源Ｖｉｎを供給し、ひずみセンサ要素５ａと５ｄの接続点と、ひずみセンサ要素５ｂと５ｃの接続点との間の電圧を検出出力Ｖoutとするように、ブリッジ接続して構成されている。
【００２６】
ここで、上述したように、検出可能なひずみに方向性を有するひずみセンサ部５を用いて、図１の容器２内に収容された物品や液体の重量又は液量を検出する原理について図７を参照して説明する。図１、図７に示すように、ひずみセンサ部５は、容器２の底部の角部４のテーパ面に貼り付けて用いる。容器２内の液体の量に応じた力が底面に鉛直な方向に作用するが、底面を面内方向に歪ませる力は小さいので、底面にひずみセンサ部５を貼り付けても重量の計測感度は悪い。一方、角部４のテーパ面に作用する液体の量に応じた力Ｆは、図７に示すように、テーパ面に平行な成分Ｆ１と、テーパ面に鉛直な成分Ｆ２に分けることができる。このＦ１は、液体量に相関し、かつテーパ面を面方向に歪ませる。そこで、このＦ１の方向にひずみセンサ要素５ａ，５ｂの方向を合わせて、ひずみセンサ部５を貼り付けることにより、容器内の液体の重量を高い感度で計測できる。
【００２７】
一方、通信部６は、図４のブロック図に示すように、少なくともアンテナ８、高周波（ＲＦ）アナログ回路部９、通信制御回路部１０、センサアナログ回路部１１及び増幅回路部１２を有して構成されている。ＲＦアナログ回路部９は、アンテナ８を介して無線で交信する信号の整流、検波、変調及び復調を行うように構成されている。センサアナログ回路部１１は、Ａ／Ｄ変換機能を有して構成されている。ひずみセンサ部５から配線１４を介して供給される検出出力Ｖoutは、増幅回路部１２により増幅され、センサアナログ回路部１１においてディジタル信号に変換される。ディジタル信号に変換された検出出力Ｖoutは、通信制御回路部１０及びＲＦアナログ回路部９を介してアンテナ８から外部に送信可能に構成されている。また、通信部６に備えられた電源部１３は、アンテナ８から受信した電磁波から直流電源を生成する、いわゆるパッシブ電源が適用されている。電源部１３からは、高周波（ＲＦ）アナログ回路部９、通信制御回路部１０、センサアナログ回路部１１、増幅回路部１２及びひずみセンサ部５に直流電源Ｖｉｎを供給するようになっている。
【００２８】
本実施形態の管理装置３は、図５のブロック図に示すように、アンテナ１６、ＲＦアナログ回路部１７、通信制御回路部１８、記録部１９、表示部２０及び電源部２１を有して構成されている。ＲＦアナログ回路部１７は、アンテナ１６を介して無線で交信する信号の整流、検波、変調及び復調を行うように構成されている。通信制御回路部１８は、図示していない入力手段から入力される指令に基づいて、通信部６に対してひずみセンサ部５の検出出力Ｖoutの読取指令を出力するようになっている。記録部１９は、読取指令に応答して、通信制御回路部１８を介して入力されるひずみセンサ部５の検出出力Ｖoutと識別符号を取り込み、予め設定されている演算手順に従って容器２に収容された物品の重量や液量を演算し、識別符号とともに記憶装置に記録するとともに、表示部２０に表示するようになっている。なお、管理装置３は、固定式の装置とするほか、無線通信機能を備えた例えば携帯型の装置を適用することができる。
【００２９】
このように構成される本実施形態の物品管理システムの動作について、図６のフローチャートを参照しながら説明する。管理装置３は、定期的あるいは入力される指令に応じて、図６の処理を実施するようになっている。なお、本実施形態では、管理装置３の管理下にある複数の容器２の識別符号が、管理装置３に格納されているものとする。しかし、本発明はこれに限らず、周知の通信処理により、管理装置３から各容器２の計量デバイス１に設定された識別符号を読み取る初期処理を行わせることができる。
【００３０】
管理装置３の記録部１９は、予め設定された識別符号の順に従って、通信制御回路部１８とＲＦアナログ回路部１７を介してアンテナ１６から、特定の識別符号を付して容器２に対して検出値の送信要求を出力する（Ｓ１）。各容器２の計量デバイス１は、管理装置３からの送信要求をアンテナ８で受信すると、ＲＦアナログ回路部９を介して電源部１３が動作し、通信部６の各部とひずみセンサ部５に電源を供給する。そして、通信制御回路部１０は、送信要求に付された識別符号を解読して自己の識別符号と比較する。自己の識別符号に一致した場合は、増幅回路部１２とセンサアナログ回路部１１を介してひずみセンサ部５の検出値を取り込み、自己の識別符号を付してＲＦアナログ回路部９とアンテナ８を介して出力する（Ｓ２）。ここで、センサアナログ回路部１１は、ひずみセンサ部５の検出出力Ｖoutを予め設定された変換係数を用いて、ひずみ量を重量や液量の検出値に変換するようになっているが、この変換処理は、管理装置の記録部１９により行うこともできる。
【００３１】
管理装置３の記録部１９は、アンテナ１６を介して受信された検出値と識別符号を取り込み（Ｓ３）、表示部２０に表示するとともに、管理テーブルに格納する（Ｓ４）。この管理テーブルは、管理下にある容器２の識別符号に対応して検出値を格納するようになっている。また、管理テーブルには、検出値の受信時を計量日時として格納するようになっている。
【００３２】
以上説明したように、本実施形態の計量デバイス１は、ひずみセンサ及び通信回路を半導体チップ上に形成することにより、薄型かつ超小型に形成できるから、容器２の大きさに制約されることなく、小さい物品でも貼り付け可能で、様々な用途の容器に適用することができる。また、半導体装置の製造工程により製造可能なので、大量かつ安価に製造できる。したがって、必要に応じて、１つの容器２に複数の計量デバイス１を貼付して用いることができるから、計量の信頼性を向上できる。
【００３３】
また、本実施形態のひずみセンサは、単結晶シリコンを用いて形成しているから、粒界腐食や疲労に強く、長期信頼性に優れる。また、シリコン半導体は、降伏強度が大きいから、塑性変形成分が小さいので、高サイクルに対する疲労寿命が著しく高いため、長期間のひずみ量計測を安定して行うことができる。しかも、シリコン半導体は、高融点材料だから高温に強いので、高温の用途にも適用できる。例えば、高温溶融するガラスビンなどの容器に封入して用いることも可能である。
【００３４】
また、本実施形態の計量デバイス１は、電池などの内蔵電源を設けなくて済むから、小形化及び薄型化できるだけでなく、電池交換などの保守、点検が不要になり、使い勝手に優れ、かつ寿命の長い計量機能を具備する物品容器を実現できる。
【００３５】
また、本実施形態の物品管理システムによれば、容器２内の液体の使用量及び残量を自動的に記録できるから、容器２内の液体の管理を適切に行うことができる。例えば、薬品棚に収納して管理する多数の薬品ビンに、本実施形態を適用することにより、薬品ビンを取り出して使用するたびに、薬品の使用量、残量、又は出し入れ日時が記録されるから、薬品の残量の点検、及び補充に必要性などの管理を自動化することができ、極めて使い勝手のよい薬品管理システムを実現できる。また、出し入れ日時が記録されているから、出し入れの頻度又は間隔を検討することにより、不審者による持ち出しをチェックできる。さらに、盗難などにより薬品ビンが紛失した場合、戻されなかった日時を特定しやすいので、調査が容易になる。また、棚に戻された時点で、消費量が異常に多い場合は、警報などを発して注意を喚起することができる。
【００３６】
なお、本実施形態は、薬品管理に限らず、タンク等による貯蔵液体の管理、倉庫の物流管理、段ボール箱内の物品管理、その他の物品の管理に適用することができる。
【００３７】
（実施形態２）
図８に、本発明の計量機能を具備する物品容器を用いた物品管理システムの実施形態２の構成を示す。本実施形態２が実施形態１と異なる点は、容器２を載置する設置台２５に管理装置３を埋め込み、又は接着して構成したことにある。その他の点は、実施形態１と同様であるから、説明を省略する。
【００３８】
本実施形態によれば、管理装置３のアンテナ１６を載置台２５の上面に広げて設け、計量デバイス１のアンテナ８に近づけることができるので、アンテナ８、１６の電磁結合が強いので、アンテナ８を小型にできる。
【００３９】
（実施形態３）
図９に、本発明の計量機能を具備する物品容器を用いた物品管理システムの実施形態３の構成を示す。本実施形態３が実施形態２と異なる点は、物品を収容する容器２に脚部２６が設けられ、その脚部２６の垂直な面に計量デバイス１を貼り付けたことにある。なお、計量デバイス１を貼り付ける面は、垂直面が好ましいが、適当な垂直面がない場合は、垂直に近い面であればよい。その他の点は、実施形態２と同様であるから、説明を省略する。
【００４０】
本実施形態によれば、容器２内に収容された液体等の重量によって、脚部２６が垂直方向にひずむので、計量デバイス１のひずみセンサ部５の感度方向を垂直方向に合わせて貼り付けることにより、高感度で重量を計測できる。
【００４１】
（実施形態４）
図１０に、本発明の計量機能を具備する物品容器を用いた物品管理システムの実施形態４の構成を示す。本実施形態４が実施形態３と異なる点は、物品を収容する容器２に脚部２６にくびれ部２７を設け、そのくびれ部２７の垂直な面に計量デバイス１を貼り付けたことにある。なお、計量デバイス１を貼り付ける面は、垂直面が好ましいが、適当な垂直面がない場合は、垂直に近い面であればよい。その他の点は、実施形態３と同様であるから、説明を省略する。
【００４２】
本実施形態４によれば、脚部２６に設けたくびれ部２７は、垂直方向にひずみ易いので、計量デバイス１のひずみセンサ部５の感度方向を垂直方向に合わせて貼り付けることにより、一層高感度で重量を計測できる。
【００４３】
また、図示のように、複数の脚部２６にそれぞれくびれ部２７を設け、それらのくびれ部２７のそれぞれ計量デバイス１を貼付することにより、計量の信頼性を向上できる。
【００４４】
（実施形態５）
図１１に、本発明の計量機能を具備する物品容器を用いた物品管理システムの実施形態５の構成を示す。本実施形態５が実施形態２と異なる点は、容器２の角部４に複数の計量デバイス１を貼付したことにある。その他の点は、実施形態２と同一であることから、説明を省略する。
【００４５】
本実施形態５によれば、容器２が傾いたり、載置台２５が傾いて、内部の液体が偏った場合、複数の計量デバイス１によって検出される検出値に差が生ずることから、管理装置３によって容器２の傾きを検出することができる。例えば、石油タンクなどに複数の計量デバイス１を取り付けておけば、荷重の偏差により、石油タンクの傾きを検出することができる。
【００４６】
（本発明の他の適用例）
以上、本発明を実施形態１〜５に基づいて説明したが、ここで、本発明の物品管理システムの適用例を説明する。本発明は、薬品管理に限らず、タンク等による貯蔵液体の管理、倉庫の物流管理、段ボール箱内の物品管理、その他の物品の管理に適用することができることは、前述したとおりである。
【００４７】
例えば、ワインの販売店や倉庫において、本実施形態の計量デバイス１をワイン等のボトルに貼付して管理装置３により管理するようにすると、売れた場合や出庫した場合は管理装置３の送信要求に対して応答がなくなるから、在庫管理や販売管理に適用することができる。また、盗難などの予防にも適用できる。
【００４８】
また、倉庫の管理などにおいて、商品等を詰めた段ボール箱の底部の角部に本発明の計量デバイス１を貼り付けておき、倉庫の出入口に管理装置３を設置しておき、段ボール箱が出入口を通過したときに計量デバイス１と交信して、ダンボール箱の識別番号及び重量を収得することができる。これにより、ダンボール箱の入出庫の管理ができるだけでなく、事故等によりダンボール箱内の商品が少なくなっている場合を検出することができる。この場合、携帯型の管理装置３を用いて槽庫内を定期的に巡回すれば、段ボール箱を開けなくても、盗難などにより商品が抜き取られたことや、揮発性の商品の場合は、揮発で少なくなっていることを検知できるので、管理の信頼性が向上する。
【図面の簡単な説明】
【００４９】
【図１】本発明の計量機能を具備する物品容器を用いた物品管理システムの一実施形態の構成図である。
【図２】Ｐ型不純物拡散層を用いたひずみセンサ部の一例の構成図である。
【図３】Ｎ型不純物拡散層を用いたひずみセンサ部の一例の構成図である。
【図４】計量デバイスの通信部の一実施形態のブロック構成図である。
【図５】管理装置の一実施形態のブロック構成図である。
【図６】管理装置における管理手順のフローチャートである。
【図７】容器内に収容された物品や液体の重量又は液量を検出する原理を説明する図である。
【図８】本発明の計量機能を具備する物品容器を用いた物品管理システムの実施形態２の構成図である。
【図９】本発明の計量機能を具備する物品容器を用いた物品管理システムの実施形態３の構成図である。
【図１０】本発明の計量機能を具備する物品容器を用いた物品管理システムの実施形態４の構成図である。
【図１１】本発明の計量機能を具備する物品容器を用いた物品管理システムの実施形態５の構成図である。
【符号の説明】
【００５０】
１  計量デバイス
２  容器
３  管理装置
４  角部
５  ひずみセンサ部
６  通信部
８  アンテナ
９  ＲＦアナログ回路部
１０  通信制御回路部
１１  センサアナログ回路部
１２  増幅回路部
１３  電源部
１６  アンテナ
２１  電源部
２４  電源部
【図１】
0004746936.tif 000002
【図２】
0004746936.tif 000003
【図３】
0004746936.tif 000004
【図４】
0004746936.tif 000005
【図５】
0004746936.tif 000006
【図６】
0004746936.tif 000007
【図７】
0004746936.tif 000008
【図８】
0004746936.tif 000009
【図９】
0004746936.tif 000010
【図１０】
0004746936.tif 000011
【図１１】
0004746936.tif 000012